(57)【要約】【課題】装置を停止させることなく、パルプ原料を連続的に供給し、洗浄、排出することのできるパルプ洗浄機を提供する。【解決手段】スクリュ軸４にはスクリュ羽根８が螺旋状に巻回され、このスクリュ羽根８には含水原料を効率的に撹拌するための複数枚の撹拌ブレード９が掛け渡されている。スクリュ軸４、スクリュ羽根８、濾過ドラム１２に囲まれた含水原料は、撹拌ブレード９により濾過ドラム１２内において撹拌されながら、スクリュ軸４の回転に従って徐々に空間部内を排出口１８側に移動する。この過程において、水は給水管１０を介して給水孔１１から常時濾過ドラム１２内に供給され、含水原料に付着したインク、カーボン等の汚れを洗浄され、含水原料から分離されたインク等を含む悪水は濾過ドラム１２の脱水孔から漏出し、排出口１８まで到達しパルプ原料として排出される。【選択図】　　　　図１
2004124332.tif 000002
【特許請求の範囲】
【請求項１】
駆動手段により回転し内部を通して孔部から洗浄水を供給するスクリュ軸と、該スクリュ軸の外周に螺旋状に設けたスクリュ羽根と、該スクリュ羽根の外周間に掛け渡した撹拌ブレードと、前記スクリュ羽根を囲む円筒状の濾過ドラムと、前記濾過ドラム又はスクリュ軸に設けたパルプ原料投入口と、前記濾過ドラムの下流側に設けた排出口とから成ることを特徴とするパルプ洗浄機。
【請求項２】
前記濾過ドラムを回転するようにした請求項１に記載のパルプ洗浄機。
【請求項３】
前記スクリュ軸と前記濾過ドラムの回転方向は逆方向とした請求項２に記載のパルプ洗浄機。
【請求項４】
前記濾過ドラムの上方に、前記濾過ドラムに向けて洗浄水を噴射する洗浄シャワーを設けた請求項２又は３に記載のパルプ洗浄機。
【発明の詳細な説明】
【０００１】
【発明の属する技術分野】
本発明は、ダンボール、雑誌等の古紙を再生するために、古紙に付着したインクやカーボン、コート剤等の汚れ物質を除去するためのパルプ洗浄機に関するものである。
【０００２】
【従来の技術】
この種の従来のパルプ洗浄機は、ダンボール、雑誌等の古紙を水溶し、ヘドロ状に溶解した含水原料を回転ドラム内に洗浄用の水と共に投入し、濾過ドラム内において、この含水原料を撹拌することにより、洗浄水と置換しながら汚れ物質を取り除いている。
【０００３】
【発明が解決しようとする課題】
しかしながら、従来の多くのパルプ洗浄機はバッジ式であり、洗浄が終わると一旦停止し、洗浄が終了したパルプ原料を取り出した後に、新たな含水原料を投入して洗浄するという工程を繰り返している。
【０００４】
また、連続的に含水原料を供給可能なパルプ洗浄機においても、単に含水原料を供給し撹拌しているだけであり、処理量を任意に制御することは困難である。
【０００５】
本発明の目的は、上述の課題を解決し、連続的に原料を供給しながらパルプ原料を洗浄し、洗浄が終わったパルプ原料を連続的に排出でき、処理量の制御が容易なパルプ洗浄機を提供することにある。
【０００６】
【課題を解決するための手段】
上記目的を達成するための本発明に係るパルプ洗浄機は、駆動手段により回転し内部を通して孔部から洗浄水を供給するスクリュ軸と、該スクリュ軸の外周に螺旋状に設けたスクリュ羽根と、該スクリュ羽根の外周間に掛け渡した撹拌ブレードと、前記スクリュ羽根を囲む円筒状の濾過ドラムと、前記濾過ドラム又はスクリュ軸に設けたパルプ原料投入口と、前記濾過ドラムの下流側に設けた排出口とから成ることを特徴とする。
【０００７】
【発明の実施の形態】
本発明を図示の実施の形態に基づいて詳細に説明する。
図１は本実施の形態におけるパルプ洗浄機の縦断面図、図２は横断面図を示しており、基台１上には左右一対の支持台２、３が設けられ、この支持台２、３には中空のスクリュ軸４が軸受け５、６を介して回転自在に支承されている。スクリュ軸４の左端側にはスプロケット７が設けられ、チェーンを介してスクリュ軸４を回転させるための図示しない駆動モータによる駆動力が伝達されている。スクリュ軸４にはスクリュ羽根８が螺旋状に巻回され、スクリュ羽根８のピッチは左側の下流側に進むにつれ小さくなっている。更に、このスクリュ羽根８の外周間には、パルプ原料を効率的に撹拌するための複数枚の撹拌ブレード９が軸方向に、かつスクリュ軸４に対して放射状に掛け渡されている。更に、スクリュ軸４の左側から内部に向かって、水を供給するための給水管１０が挿通され、スクリュ軸４には給水管１０に連結した複数個の給水孔１１が設けられている。
【０００８】
また、スクリュ羽根８の外周は多数の脱水孔を有する円筒状の濾過ドラム１２により包囲されており、その外周部は補強環１３により補強されている。この濾過ドラム１２の上流側及び下流側には側板１４が設けられ、この側板１４を介して濾過ドラム１２はスクリュ軸４に支持されている。また、濾過ドラム１２の右端側にはスプロケット１５が設けられ、図示しない駆動モータの駆動力がチェーンにより伝達されている。
【０００９】
スクリュ軸４の右端には、パルプ原料を供給する原料供給管１６が設けられ、濾過ドラム１２内の上流側のスクリュ軸４には濾過ドラム１２内に原料供給管１６からの原料を投入する原料供給口１７が設けられている。また、濾過ドラム１２の左端側に洗浄したパルプ原料を排出する例えば複数個の排出口１８が設けられている。濾過ドラム１２の上方には、この濾過ドラム１２の脱水孔を洗浄するための洗浄シャワー１９が配置されている。
【００１０】
なお、スクリュ軸４の回転は約３〜１５回転／分程度が好ましく、濾過ドラム１２はスクリュ軸４と逆回転とし、より高速な約３０回転／分程度が好適であり、それぞれパルプ原料の処理量に応じて制御することができる。
【００１１】
また、本実施の形態においては、スクリュ羽根８のピッチは下流側に進むにつれて狭くすることにより脱水しているが、ピッチを等間隔とすることもできる。
【００１２】
ヘドロ状に溶解された古紙による含水原料は、原料供給管１６、原料供給口１７を介して濾過ドラム１２内に連続的に供給される。なお、含水原料を濾過ドラム１２内において水を混合しながら十分に撹拌するためには、濾過ドラム１２内の含水原料は常時、半分以下の容量とすることが好ましい。
【００１３】
また、本実施の形態においてはス、プロケット１５を介して濾過ドラム１２を回転させているが、濾過ドラム１２を軸方向に配置した２本の回転軸上に載置して支持し、この回転軸を回転させることによって濾過ドラム１２を回転させることもできる。
【００１４】
スクリュ軸４、スクリュ羽根８、濾過ドラム１２に囲まれた含水原料は、撹拌ブレード９により濾過ドラム１２内において撹拌されながら、スクリュ軸４の回転に従って徐々に排出口１８側に移動する。
【００１５】
濾過ドラム１２の入口側においては、含水原料は含水された水が脱水孔により漏出するが、中央部分に進むにつれて給水管１０を介して水が給水孔１１から常時濾過ドラム１２内に供給され、更に必要に応じて濾過ドラム１２の脱水孔の目詰まり防止のための洗浄シャワー１９からの水が、脱水孔を介して濾過ドラム１２内にも加わり、含水原料に付着したインク、カーボン等の汚れはこれらの水により溶け出す。
【００１６】
そして、撹拌により含水原料から分離されたインク等の微細粒子を含む所謂黒水、白水は濾過ドラム１２の脱水孔から漏出し、洗浄され水切りされたパルプ原料は排出口１８まで送られて排出され、製紙工程に搬送される。
【００１７】
【発明の効果】
以上説明したように本発明に係るパルプ洗浄機は、連続的にパルプ原料を供給し、効率良く洗浄されたパルプ原料を排出することができる。
【００１８】
また、洗浄されたパルプ原料が連続的に排出されるため、この排出されたパルプ原料の洗浄具合により、スクリュ軸の回転速度や洗浄水の水量を調整すれば、パルプ原料の洗浄具合を調整することができる。
【図面の簡単な説明】
【図１】パルプ洗浄機の縦断面図である。
【図２】濾過ドラムの横断面図である。
【符号の説明】
２、３　支持台
４　スクリュ軸
５、６　軸受け
８　スクリュ羽根
９　撹拌ブレード
１０　給水管
１１　給水孔
１２　濾過ドラム
１６　原料供給管
１７　原料供給口
１８　排出口
１９　洗浄シャワー
【図１】
2004124332.tif 000003
【図２】
2004124332.tif 000004